(57)【要約】【課題】光を利用した多種多様な加飾が得られるようにして、特徴的で固有の雰囲気を醸し出させる美的もしくは斬新で新奇な装飾効果を生じさせることができる容器構造を提供する。【解決手段】集光樹脂の機能を利用し、容器１に、入射された光を出射させる各端面１５ａ〜１５ｃを当該容器１の表面に露出させて、集光樹脂製部材４を設けることにより、容器１に、高輝度で光り輝く部分を創り出すことができ、これによって光を利用した多種多様な加飾を施すことが可能となる。【選択図】          図１
2004322333.tif 000002
【特許請求の範囲】
【請求項１】
容器に、入射された光を出射させる光透過部を該容器の表面に露出させて、集光樹脂製部材を設けたことを特徴とする容器構造。
【発明の詳細な説明】
【０００１】
【発明の属する技術分野】
本発明は、光を利用した多種多様な加飾が得られるようにして、特徴的で固有の雰囲気を醸し出させる美的もしくは斬新で新奇な装飾効果を生じさせることができる容器構造に関する。
【０００２】
【従来の技術】
一般に、各種の容器では、そのデザイン性を高めるために、従来からさまざまな方法によって加飾が施されている。例えば、塗装などにより着色したり、スパッタリングなどによって表面処理を行ったり、プレート材や転写シートを用いて平面的あるいは立体的に文字や模様などを施したり、模様などを付した上に透明・半透明の層を重ねたり、写真などのシート材を挿入する部分を備えるなどして、容器の表面に装飾を施すようにしていた（例えば、特許文献１〜８参照）。
【０００３】
【特許文献１】
特開昭５４−８３９６１号公報
【特許文献２】
実開昭５８−１７９０１２号公報
【特許文献３】
実開昭５８−１７９０１３号公報
【特許文献４】
実開昭５８−１７９０１４号公報
【特許文献５】
実開昭５９−１３１０号公報
【特許文献６】
実開昭５９−４５０１７号公報
【特許文献７】
特公平１−３７２４８号公報
【特許文献８】
特開平７−８８８９０号公報
【０００４】
【発明が解決しようとする課題】
上記従来の技術で得られる加飾はいずれも、既にありきたりなものであり、装飾を施すという技術面から見ると、限界があった。
【０００５】
ここに本発明者は、上述したようなこれまでの加飾技術では考えられていなかった、光を利用することに着目し、これに適する素材を見出してこれを用いて加飾を行うことによって、容器に、今まで見たことのない美的装飾効果を与え得るとの知見を得て、本発明を完成するに至ったものである。
【０００６】
本発明は上記従来の課題に鑑みて創案されたものであって、光を利用した多種多様な加飾が得られるようにして、特徴的で固有の雰囲気を醸し出させる美的もしくは斬新で新奇な装飾効果を生じさせることができる容器構造を提供することを目的とする。
【０００７】
【課題を解決するための手段】
本発明にかかる容器構造は、容器に、入射された光を出射させる光透過部を該容器の表面に露出させて、集光樹脂製部材を設けたことを特徴とする。
【０００８】
集光樹脂に光を照射すると、照射された部分全体から光が入射されるとともに、これを透過した光は樹脂全体から出射されるが、殊に相対的に狭い端面部分などがあると、その端面部分から出射される光密度が高まって、この狭い端面部分が他の部分よりも高輝度で光り輝くことはよく知られている。
【０００９】
集光樹脂のこの機能を利用し、容器に、入射された光を出射させる光透過部を当該容器の表面に露出させて、集光樹脂製部材を設けることにより、容器に、高輝度で光り輝く部分を創り出すことができ、これによって光を利用した多種多様な加飾を施すことが可能となって、特徴的で固有の雰囲気を醸し出させる美的もしくは斬新で新奇な装飾効果を生じさせ得る。
【００１０】
【発明の実施の形態】
以下に、本発明にかかる容器構造の好適な一実施形態を、添付図面を参照して詳細に説明する。本実施形態にかかる容器構造が適用される容器１は基本的には、図１および図２に示すように、物品を収納する容器本体２と、これを開閉する蓋体３と、蓋体３に設けられ、入射された光を出射させる光透過部が当該蓋体３の表面に露出された集光樹脂製部材４とを備えて構成される。本実施形態にあっては、集光樹脂製部材４は蓋体３に設けられているが、容器本体２に設けても、あるいはこれら蓋体３および容器本体２双方に設けても良い。
【００１１】
図示例にあっては、容器１として、化粧料を収納する収納空間５が内部に形成された容器本体２と、容器本体２の一端にヒンジ６を介して回動自在に連結されて容器本体２を開閉するとともに、容器本体２の他端にフック手段７を介して係脱自在に係合されて当該容器本体２を閉止状態に維持する蓋体３とを備える化粧料容器が示されている。
【００１２】
蓋体３は、不透明な板状の蓋本体８と、この蓋本体８の上面に重ね合わせて設けられる不透明な板状の外装カバー９とから構成される。蓋本体８の下面には、鏡板１０が取り付けられている。蓋本体８には、その外周縁に沿って段付き部１１が形成されるとともに、外装カバー９には、その外周縁に沿って段付き部１１と相対向させて、蓋本体８との間に集光樹脂製部材４を固定するための環状溝部１２を形成する庇部１３が形成される。
【００１３】
集光樹脂製部材４は本実施形態にあっては、相当の板厚を有し、かつその平面外形寸法が蓋本体８および外装カバー９の平面外形寸法よりも大きな環状の板材で形成される。集光樹脂製部材４の内周縁にはこれに沿って、環状溝部１２に挟み込まれる環状段差部１４が形成される。集光樹脂製部材４は、その環状段差部１４を蓋本体８の段付き部１１に嵌め合わせ、その上から庇部１３を被せるようにして外装カバー９を蓋本体８に重ね合わせることにより、環状段差部１４が環状溝部１２内に固定されて、これら蓋本体８および外装カバー９との間に挟み込んで設けられる。
【００１４】
そして特に本実施形態にあっては、平面外形寸法が蓋本体８および外装カバー９よりも大きく形成されて、これら外装カバー９等の外側に蓋体３の周方向に沿ってリング状に突出される集光樹脂製部材４の縁部１５が、蓋体３の表面に露出されて入射された光を出射させる光透過部として構成される。このリング状縁部１５は、外装カバー９の上面に面して露出される上端面１５ａと、蓋本体８の下面に面して露出される下端面１５ｂと、これら上端面１５ａと下端面１５ｂとの間の周端面１５ｃとを有し、これら端面１５ａ〜１５ｃを介して外光が入・出射される。
【００１５】
このように構成された容器構造の作用について説明すると、蓋体３表面から露出された集光樹脂製部材４のリング状縁部１５ではその全体、すなわち上端面１５ａ、下端面１５ｂおよび周端面１５ｃを介して外光が入射され、また出射される。この際例えば、周端面１５ｃの表面積が他の端面１５ａ，１５ｂに比して狭いと、この周端面１５ｃから出射される光密度が他の端面１５ａ，１５ｂから出射される光密度よりも高くなり、当該周端面１５ｃが他の端面１５ａ，１５ｂよりも高輝度で光り輝き、これにより視覚的に、蓋体３の表面にこれを取り囲む「光の環」が創り出され、これによって蓋体３、ひいては容器１から光が発しているように見える、インパクトのある輝く光の装飾という、特徴的で固有の雰囲気を醸し出させる美的もしくは斬新で新奇な装飾効果を生じさせることができる。
【００１６】
図３には、上記実施形態の変形例が示されている。この変形例では集光樹脂製部材４は、蓋本体８をその上面から外周縁にわたって全体的に覆う板状に形成され、蓋本体８の上面に重ね合わせて設けられていて、外装カバーが取り去られて構成されている。
【００１７】
この変形例にあっては、集光樹脂製部材４の光透過部は、蓋体３の上面全体に露出される上端面１５ａ全体と、蓋本体８の下面に面して露出される下端面１５ｂと、これら上端面１５ａと下端面１５ｂとの間の周端面１５ｃとから構成され、これら端面１５ａ〜１５ｃを介して外光が入・出射されて、主に周端面１５ｃが他の端面１５ａ，１５ｂよりも高輝度で光り輝く。このような変形例であっても、上記実施形態と同様な作用・効果を奏することはもちろんである。
【００１８】
図４および図５には、さらに他の変形例が示されている。この変形例では、蓋本体８の外形輪郭に沿う外形を有する皿状の透明な外装カバー１６が用いられ、蓋本体８の上に、これよりも小さな平面外形寸法で形成された板状の集光樹脂製部材４を重ね合わせた上で、さらにその上に当該外装カバー１６を重ね合わせ、これら外装カバー１６と蓋本体８との間に集光樹脂製部材４を挟み込んで構成されている。
【００１９】
この変形例にあっては、外光は透明な外装カバー１６を透過して、集光樹脂製部材４に入射され、またこれより出射される。この変形例では、集光樹脂製部材４の光透過部は、蓋体３の上面に露出される上端面１５ａと、この上端面１５ａ周囲に露出される周端面１５ｃとから構成され、これら端面１５ａ，１５ｃを介して外光が入・出射されて、主に周端面１５ｃが高輝度で光り輝く。このような変形例にあっても、上記実施形態と同様な作用・効果を奏することはもちろんである。
【００２０】
以上の実施形態にあっては、集光樹脂製部材４として、おおよそ板状のものを例示して説明したが、これに限らず塊状や柱状などのブロック状の形態であっても良く、このブロック状のものを、その光透過部を表面に露出させて、容器１に設ければよい。また、集光樹脂製部材４は、有色であっても無色であっても良い。また、集光樹脂製部材４は、容器１のどこに設けても良く、また何らかのデザインにしたがうなどして、適宜箇所に適当に散在させて配置してもよい。
【００２１】
また、上記実施形態にあっては、容器本体２と蓋体３とからなる容器を例示して説明したが、容器本体２だけからなる容器１に適用しても良いことはもちろんである。そして容器１としては、どのような物品を収納するものであってもよい。また、蓋体３を備える場合、容器本体２の開閉構造は、ネジで締めつけたり、キャップのように径嵌合で嵌め合わせたりするなど、どのような開閉構造・開閉方式であってもよい。また容器１は、容器本体２および蓋体３だけでなく、中蓋や仕切り、その他の付属構造が付加されていても良く、そしてこれらに集光樹脂製部材４を設けるようにしてもよい。
【００２２】
【発明の効果】
以上要するに、本発明にかかる容器構造にあっては、集光樹脂製部材を容器に、入射された光を出射させる光透過部を容器の表面に露出させて設けるようにしたので、光を利用した多種多様な加飾が得られ、特徴的で固有の雰囲気を醸し出させる美的もしくは斬新で新奇な装飾効果を生じさせることができる。
【図面の簡単な説明】
【図１】本発明にかかる容器構造の好適な一実施形態を示す容器の斜視図である。
【図２】図１の容器の側断面図である。
【図３】本発明にかかる容器構造の変形例を示す容器の側断面図である。
【図４】本発明にかかる容器構造の他の変形例を示す容器の斜視図である。
【図５】図４の容器の側断面図である。
【符号の説明】
１  容器                            ４  集光樹脂製部材
１５ａ  集光樹脂製部材の上端面  １５ｂ  集光樹脂製部材の下端面
１５ｃ  集光樹脂製部材の周端面
【図１】
2004322333.tif 000003
【図２】
2004322333.tif 000004
【図３】
2004322333.tif 000005
【図４】
2004322333.tif 000006
【図５】
2004322333.tif 000007